(57)【特許請求の範囲】
【請求項１】
ブドウ樹の結果母枝を水平に整枝し、
前記結果母枝から発生する新梢を互いに平行になるように誘引して結果枝とし、
前記結果母枝に対して平行に配列される光源を前記結果枝に結実した果房の側方に設け、
前記果房の果粒が肥大する果粒肥大期において、夜間に前記光源によって前記果房の横から前記果房に向けて光を照射することを特徴とするブドウの栽培方法。
【請求項２】
前記ブドウ樹の品種が「安芸クイーン」であることを特徴とする請求項１に記載のブドウの栽培方法。
【請求項３】
前記ブドウ樹の主枝から分岐する複数の前記結果母枝を１つまたは互いに平行な複数の列状に整枝することを特徴とする請求項１または請求項２に記載のブドウの栽培方法。
【請求項４】
複数の前記ブドウ樹を列状に植え付け、
夫々の前記ブドウ樹の前記結果母枝を前記ブドウ樹の植え付け列方向に沿って列状に整枝することを特徴とする請求項１から請求項３の何れか１項に記載のブドウの栽培方法。
【請求項５】
所定の横断面形状で延在する長尺物状の光源支持具と、
前記光源支持具に設けられて前記光源支持具の延在方向に沿って配列される複数のＬＥＤ光源と、
タイマ手段を有し前記ＬＥＤ光源の点灯を制御する制御装置と、を備え、
前記光源支持具は、ブドウ樹の水平に整枝された結果母枝に対して平行に配設されて、前記ＬＥＤ光源は、前記結果母枝から分岐する互いに平行な結果枝に結実した果房の側方に配置されて前記果房の横から前記果房に向けられ、
前記制御装置は、前記果房の果粒が肥大する果粒肥大期に、夜間の所定の時間、前記ＬＥＤ光源を点灯させることを特徴とするブドウ栽培用照明装置。
【請求項６】
所定の横断面形状で延在する長尺物状の光源支持具と、
前記光源支持具に設けられて前記光源支持具の延在方向に沿って配列される複数のＬＥＤ光源と、
前記光源支持具に形成されて前記光源支持具の延在方向に対して垂直に起立する支持片と、
ブドウ樹を支持する支持部材に取り付けられて前記支持片を支持する固定具と、
タイマ手段を有し前記ＬＥＤ光源の点灯を制御する制御装置と、を備え、
前記光源支持具は、前記ブドウ樹の水平に整枝された結果母枝に対して平行に配設されて前記支持片が前記固定具に対して回動することにより前記光源支持具の延在方向を軸として回動して前記支持部材に対して角度調整自在に固定され、
前記ＬＥＤ光源は、前記結果母枝から分岐する互いに平行な結果枝に結実した果房に向けられ、
前記制御装置は、前記果房の果粒が肥大する果粒肥大期に、夜間の所定の時間、前記ＬＥＤ光源を点灯させることを特徴とするブドウ栽培用照明装置。
【請求項７】
夫々に前記ＬＥＤ光源が設けられる複数の前記光源支持具を有し、
前記光源支持具の両端部近傍には、前記ＬＥＤ光源に電力を供給する配線が接続される接続端子が夫々設けられ、
複数の前記光源支持具は、前記接続端子に接続される前記配線を介して互いに連結されることを特徴とする請求項５または請求項６に記載のブドウ栽培用照明装置。
【請求項８】
太陽電池パネルと、
前記太陽電池パネルで発電された電力を蓄える蓄電池と、を備え、
前記太陽電池パネルで発電されて前記蓄電池に蓄えられた電力によって前記ＬＥＤ光源が点灯することを特徴とする請求項５から請求項７の何れか１項に記載のブドウ栽培用照明装置。
【発明の詳細な説明】
【技術分野】
【０００１】
本発明は、ブドウの栽培方法及びブドウ栽培用照明装置に関し、特に、ブドウの着色を向上させることができるブドウの栽培方法及びブドウ栽培用照明装置に関する。
【背景技術】
【０００２】
従来、ブドウ果粒の肥大を図ることを目的として、ブドウ樹が栽培される棚面全体若しくはブドウ樹の新梢に向かって、夜間に光を照射することが知られている。
例えば、特許文献１には、ブドウ樹の主幹から分岐する一対の主枝を平行に伸ばし、互いに対向する一対の主枝から相手側の主枝に向かって夫々新梢を伸ばして整枝したブドウ棚の下方であって、一対の主枝の中間位置に光源を配置し、一対の主枝間に伸びる新梢に向かって光を照射するブドウ果房の育成方法が開示されている。
【０００３】
また、同文献には、複数の光源と、これら複数の光源を同一面上で所定間隔毎に配置する帯状の光源ホルダと、この光源ホルダを吊り下げるハンガーと、を備える電照装置が開示されている。同文献の電照装置は、ハンガーのフック部がブドウ棚の支線に引っ掛けられることによって、ブドウ棚から吊り下げられる。
【先行技術文献】
【特許文献】
【０００４】
【特許文献１】特開２０１１−１９３７６０号公報
【発明の概要】
【発明が解決しようとする課題】
【０００５】
ブドウの成熟は、着色期の気象条件の影響を強く受ける。特に、着色期の高温は、果粒の着色不良及び成熟遅延の原因となる。そのため、高温条件になり易い初夏に着色期を迎える作型では、ブドウ果粒の着色不良等による品質低下が栽培上の重大な問題となる。
【０００６】
そこで、高温条件下において、ブドウ果粒の着色を高めてブドウを安定的に成熟させる技術が望まれていた。しかしながら、上記した従来技術は、この課題を解決できるものではなかった。即ち、特許文献１に開示されたブドウ果房の育成方法は、ブドウ果粒を肥大させることを目的としたものであり、ブドウ果粒の着色促進を目的としていない。また、同文献では、着色についての評価もなされていない。このように、従来、光の照射がブドウ果粒の着色に及ぼす影響についての知見は、何ら得られていなかった。
【０００７】
また、特許文献１に開示された電照装置にように、光源ホルダがブドウ棚の支線から吊り下げられる構成では、光源等をブドウの果房に接近して配置することが難しいとういう問題点もある。即ち、吊り下げ式の光源等をブドウの果房に接近させると、風等によって光源ホルダ等若しくはブドウの果房が揺れた際に、光源ホルダ等がブドウの果房に接触する恐れがある。光源ホルダ等がブドウの果房に接触すると、ブドウの果粒が損傷して品質が劣化するので好ましくない。
【０００８】
上記のように、光源等を吊り下げる方式では、光源をブドウの果房に近づけることが難しいので、ブドウの果粒に照射される光の強さ、即ちブドウ果粒近傍における光量子束密度を高めるためには、光源の出力を高める必要があった。
【０００９】
また、高温条件に起因するブドウの品質低下を抑制するために、空気調和機等を用いて栽培環境の低温化を図ることも考えられる。しかしながら、設備費用やエネルギー消費を考慮すると、より簡易な設備でエネルギー消費量の少ない解決手段が望まれる。
【００１０】
本発明は、上記の事情に鑑みてなされたものであり、その目的とするところは、効率的な光照射によってブドウ果粒の着色を促進することができるブドウの栽培方法及びブドウ栽培用照明装置を提供することにある。
【課題を解決するための手段】
【００１１】
本発明のブドウの栽培方法は、ブドウ樹の結果母枝を水平に整枝し、前記結果母枝から発生する新梢を互いに平行になるように誘引して結果枝とし、前記結果母枝に対して平行に配列される光源を前記結果枝に結実した果房の側方に設け、前記果房の果粒が肥大する果粒肥大期において、夜間に前記光源によって前記果房の横から前記果房に向けて光を照射することを特徴とする。
【００１２】
また、本発明のブドウ栽培用照明装置は、所定の横断面形状で延在する長尺物状の光源支持具と、前記光源支持具に設けられて前記光源支持具の延在方向に沿って配列される複数のＬＥＤ光源と、タイマ手段を有し前記ＬＥＤ光源の点灯を制御する制御装置と、を備え、前記光源支持具は、ブドウ樹の水平に整枝された結果母枝に対して平行に配設されて、前記ＬＥＤ光源は、前記結果母枝から分岐する互いに平行な結果枝に結実した果房の側方に配置されて前記果房の横から前記果房に向けられ、前記制御装置は、前記果房の果粒が肥大する果粒肥大期に、夜間の所定の時間、前記ＬＥＤ光源を点灯させることを特徴とする。
また、本発明のブドウ栽培用照明装置は、所定の横断面形状で延在する長尺物状の光源支持具と、前記光源支持具に設けられて前記光源支持具の延在方向に沿って配列される複数のＬＥＤ光源と、前記光源支持具に形成されて前記光源支持具の延在方向に対して垂直に起立する支持片と、ブドウ樹を支持する支持部材に取り付けられて前記支持片を支持する固定具と、タイマ手段を有し前記ＬＥＤ光源の点灯を制御する制御装置と、を備え、前記光源支持具は、前記ブドウ樹の水平に整枝された結果母枝に対して平行に配設されて前記支持片が前記固定具に対して回動することにより前記光源支持具の延在方向を軸として回動して前記支持部材に対して角度調整自在に固定され、前記ＬＥＤ光源は、前記結果母枝から分岐する互いに平行な結果枝に結実した果房に向けられ、前記制御装置は、前記果房の果粒が肥大する果粒肥大期に、夜間の所定の時間、前記ＬＥＤ光源を点灯させることを特徴とする。
【発明の効果】
【００１３】
本発明のブドウの栽培方法によれば、ブドウ樹の結果母枝を水平に整枝し、前記結果母枝から発生する新梢を互いに平行になるように誘引して結果枝とし、前記結果母枝に対して平行に配列される光源を設け、前記結果枝に結実した果房の果粒が肥大する果粒肥大期において、夜間に前記光源から前記果房に向けて光を照射する。このように、果粒肥大期の夜間に、ブドウの果房に光を照射することにより、ブドウ果粒の着色が向上する。また、ブドウ果粒の糖度が高められるという効果もある。よって、高温条件下における着色不良等が抑えられ、ブドウの品質を向上させることができる。
【００１４】
また、結果母枝を略水平に整枝して、結果枝を略平行に誘引することにより、結果枝に結実するブドウ果房の位置を略直線状に揃えることができる。そして、光源が結果母枝に対して略平行に配列されることにより、ブドウ果房の配列と光源の配列とを略平行にすることができる。これにより、ブドウの果房に対して効率的に光を照射することができる。
【００１５】
また、本発明のブドウの栽培方法によれば、前記光源は、前記果房の側方に配置されても良い。これにより、ブドウ果房の横から光が照射されることになり、ブドウ果房の表面上で光が照射される面積が増大し、光照射による着色及び成熟促進の効果が高められる。
【００１６】
また、本発明のブドウの栽培方法によれば、前記ブドウ樹の主枝から分岐する複数の前記結果母枝を１つまたは互いに平行な複数の列状に整枝しても良い。このように複数の結果母枝が略列状に整枝されることにより、結果母枝に対して略平行に配列される光源から効率的に光を照射することができる。
【００１７】
また、本発明のブドウの栽培方法によれば、複数の前記ブドウ樹を列状に植え付け、夫々の前記ブドウ樹の前記結果母枝を前記ブドウ樹の植え付け列方向に沿って列状に整枝しても良い。これにより、複数のブドウ樹に結実するブドウの果房が略直線状に配列されるので、略直線状に配列される光源からブドウの果房に対して効率的に光を照射することができる。
【００１８】
また、本発明のブドウ栽培用照明装置によれば、所定の横断面形状で延在する長尺物状の光源支持具と、前記光源支持具に設けられて前記光源支持具の延在方向に沿って配列される複数のＬＥＤ光源と、タイマ手段を有し前記ＬＥＤ光源の点灯を制御する制御装置と、を備え、前記光源支持具は、ブドウ樹の水平に整枝された結果母枝に対して平行に配設されて、前記ＬＥＤ光源は、前記結果母枝から分岐する互いに平行な結果枝に結実した果房に向けられ、前記制御装置は、前記果房の果粒が肥大する果粒肥大期に、夜間の所定の時間、前記ＬＥＤ光源を点灯させる。このような構成により、長尺物状の光源支持具に配列される複数のＬＥＤ光源によって、略直線状に配列されるブドウの果粒に対して効率的に光を照射することができる。そして、果粒肥大期の夜間にブドウの果粒に光が照射されることにより、ブドウ果粒の着色及び成熟が促進される。
【００１９】
また、本発明のブドウ栽培用照明装置によれば、前記光源支持具に形成されて前記光源支持具の延在方向に対して垂直に起立する支持片と、前記ブドウ樹を支持する支持部材に取り付けられて前記支持片を支持する固定具と、を有し、前記光源支持具は、前記支持片が前記固定具に対して回動することにより前記光源支持具の延在方向を軸として回動して前記支持部材に対して角度調整自在に固定されても良い。このように、光源支持具が固定具によって、ブドウ樹を支持する支持部材に固定されることにより、光源支持具の揺れ等が抑えられ、光源支持具とブドウ果房との接触を防止することができる。これにより、光源支持具等がブドウの果房に接触することによるブドウ果房の損傷を抑止できる。
【００２０】
また、上記のように、光源支持具は、ブドウ果房と接触しないように支持部材に対して固定されるので、ＬＥＤ光源をブドウ果房に近づけて設置することが可能となる。これにより、ブドウの果粒に対して効率的に光を照射することができ、ブドウ果粒に照射される光のブドウ果粒近傍における光量子束密度を高めることができる。
【００２１】
また、光源支持具が支持部材に対して角度調整自在に固定されるので、ＬＥＤ光源の光軸を適切な方向に向けることができ、これにより、効率的な光の照射が可能となる。
【００２２】
また、本発明のブドウ栽培用照明装置によれば、夫々に前記ＬＥＤ光源が設けられる複数の前記光源支持具を有し、前記光源支持具の両端部近傍には、前記ＬＥＤ光源に電力を供給する配線が接続される接続端子が夫々設けられ、複数の前記光源支持具は、前記接続端子に接続される前記配線を介して互いに連結されても良い。これにより、所定の長さで略直線状に並ぶＬＥＤ光源の配列を容易に形成することができる。よって、略直線状に配列するブドウ果房に対して、効果的に光を照射することができる。
【００２３】
また、本発明のブドウ栽培用照明装置によれば、太陽電池パネルと、前記太陽電池パネルで発電された電力を蓄える蓄電池と、を備え、前記太陽電池パネルで発電されて前記蓄電池に蓄えられた電力によって前記ＬＥＤ光源を点灯させても良い。これにより、太陽電池パネルによって発電された電力を利用して、夜間に、ブドウの果房に光を照射することができる。よって、エネルギー消費を抑えつつ、ブドウ果粒の着色及び成熟促進を図ることができる。
【図面の簡単な説明】
【００２４】
【図１】本発明の実施形態に係るブドウの栽培方法及びブドウ栽培用照明装置の概略を示す図である。
【図２】本発明の実施形態に係るブドウの栽培方法を示すブドウ樹の（Ａ）平面図、（Ｂ）正面図である。
【図３】本発明の実施形態に係るブドウ栽培用照明装置の光源ユニットの（Ａ）斜視図、（Ｂ）横断面図、（Ｃ）端部近傍をＬＥＤ光源側から見た斜視図である。
【図４】本発明の実施形態に係るブドウ栽培用照明装置の光源ユニットが連結された状態を示す概略図である。
【図５】本発明の実施形態に係るブドウ栽培用照明装置の（Ａ）固定具の斜視図、（Ｂ）光源ユニットの設置状態を示す斜視図である。
【図６】本発明のブドウの栽培方法に関する試験結果を示す表である。
【図７】本発明のブドウの栽培方法に関する試験結果を示す表である。
【図８】本発明のブドウの栽培方法に関する試験結果を示す表である。
【発明を実施するための形態】
【００２５】
以下、本発明の実施形態に係るブドウの栽培方法及びブドウ栽培用照明装置を図面に基づき詳細に説明する。
図１は、本発明の実施形態に係るブドウの栽培方法及びブドウ栽培用照明装置１の概略を示す図である。図１に示すように、ブドウ栽培用照明装置１は、ブドウ樹２のブドウ果房５に向けて光を照射し、ブドウ果房５の果粒の着色を促進させて品質を向上させるものである。
【００２６】
詳細については後述するが、本発明のブドウの栽培方法によれば、ブドウ果房５は、略水平に略直線状に配列される。ブドウ栽培用照明装置１は、ブドウ果房５の配列に略沿って略直線状に延在する光源ユニット１０と、光源ユニット１０に接続されて光源ユニット１０に配設されるＬＥＤ光源１２の点灯を制御する制御装置２０と、を有する。
【００２７】
制御装置２０は、タイマ手段を有し所定の演算を実行する演算部と、ＬＥＤ光源１２に電力を供給してＬＥＤ光源１２を点灯させる電源部と、を有し、予め設定された条件に基づいて所定の演算を実行して、所定のタイミングでＬＥＤ光源１２を点灯させる。
【００２８】
また、ブドウ栽培用照明装置１は、太陽電池パネル２１と、太陽電池パネル２１で発電された電力を蓄える蓄電池２３と、太陽電池パネル２１における発電及び蓄電池２３の充放電を制御する充放電コントローラ２２と、を有する。
【００２９】
充放電コントローラ２２は、制御装置２０に対して電力供給可能に接続されており、これにより、太陽電池パネル２１で発電された電力を利用してＬＥＤ光源１２を点灯させることができる。また、蓄電池２３を備えることにより、昼間に太陽電池パネル２１によって発電された電力を蓄電池２３に蓄え、その電力を利用して、夜間に、ブドウ果房５に光を照射することができる。このような構成により、エネルギー消費を抑えつつ、ブドウ果粒の着色及び成熟促進を図ることができる。
【００３０】
なお、制御装置２０若しくは充放電コントローラ２２に商用電源から電力を供給する電力線を接続して、太陽電池パネル２１によって発電された電力と、商用電源からの電力を併用してＬＥＤ光源１２を点灯させる構成を採用しても良い。また、太陽電池パネル２１を備えずに、商標電源から供給される電力のみによってＬＥＤ光源１２を点灯させる構成を採用することも勿論可能である。
【００３１】
また、本実施形態に係るブドウの栽培方法では、ブドウ樹２は、例えば、根域が制限され、根圏の養水分が積極的に制御される根圏制御栽培法によって栽培される。具体的には、排水性を高めるように中央部が盛り上げられた地面上に吸水防止シート３６が敷設され、その上に重ねられるように不透根シート３７が敷設される。
【００３２】
吸水防止シート３６は、例えば、ビニールシート等の合成樹脂製のシートであり、これにより、ブドウ樹２の根とその下の土地とが縁切りされ、ブドウ樹２の根域が狭く制限される。その結果、地面から独立した系として、ブドウ樹２の水分及び養分等の制御、管理が可能となる。
【００３３】
不透根シート３７は、例えば、不織布等からなるシートである。吸水防止シート３６の上に不透根シート３７が敷設されることにより、ブドウ樹２の根で吸水防止シート３６が突き破られることが抑制される。また、不透根シート３７は、後述する盛土３８の下に溜まった水を毛細管現象で速やかに排出させる機能を有する。
【００３４】
不透根シート３７の上には、略四角錐台または略円錐台等の盛土３８が形成される。盛土３８は、所定形状の図示しない型枠内に培土を充填する方法等によって形成される。培土としては、例えば、赤玉土とバーク肥料等の混合物等を用いることができる。
【００３５】
そして、盛土３８にブドウ樹２の苗が植え付けられる。ここで、盛土３８は、所定の間隔で、略直線状に並ぶように複数形成され、各盛土３８に夫々１樹のブドウ樹２が植え付けられる。即ち、複数のブドウ樹２が略列状に植え付けられる。また、ブドウ樹２の植え付け列は、所定の間隔を設けて、略平行に複数形成されても良い。
【００３６】
また、本実施形態に係るブドウの栽培方法では、ブドウ樹２に灌水する図示しない灌水装置が用いられる。図示を省略するが、灌水装置は、灌水制御装置、液肥混入機、流量計及び電磁弁等を有し、所定の時間に、所定の水量及び施肥量で自動灌水を行う。即ち、灌水制御装置は、予め設定されるブドウ樹２の生育ステージに応じた所定の灌水量及び施肥量を昼間の複数回に分割して灌水するよう電磁弁や液肥混入機等を制御する。
【００３７】
なお、ブドウ栽培用照明装置１の制御装置２０は、タイマ手段を有するので、制御装置２０によって図示しない灌水装置の電磁弁等を操作して自動灌水の制御を行っても良い。即ち、制御装置２０を前述の灌水制御装置としても良い。これにより、ブドウ樹２の栽培を制御、管理するため制御装置を共有化して、装置の簡略化を図ると共に、タイマ設定等の操作を容易化することができる。
【００３８】
図２（Ａ）は、本実施形態に係るブドウの栽培方法を示すブドウ樹２の平面図である。図２（Ｂ）は、ブドウ樹２の正面図であり、図２（Ａ）に示すＡ矢視図である。なお、図２ないし図４において、破線矢印は、ＬＥＤ光の照射方向を模式的に示したものである。
【００３９】
図２（Ａ）及び（Ｂ）に示すように、ブドウ樹２は、１本主枝の垣根仕立てに整枝され、長梢剪定される。主枝６は、所定の高さ、例えば、約６０ｃｍの高さで水平方向に誘引され、そこから略水平且つ略直線状に延在し、所定の長さ、例えば、約１ｍの長さで先端が切除される。主枝６の延在方向は、複数植え付けられるブドウ樹２の植え付け列方向に略平行となる。
【００４０】
結果母枝７は、主枝６から発生した結果枝を主枝６とは逆方向に誘引することにより、主枝６に対して略平行に、即ち略水平に整枝される。結果母枝７は、１樹の主枝６に複数本、例えば、４〜６本形成され、主枝６の両側に振り分けられ、主枝６の両側で夫々略列状に配置される。即ち、主枝６から分岐する複数の結果母枝７は、互いに略平行な２つの略直線状に整枝される。なお、植え付け初年目のブドウ樹２では、略水平に誘引される主枝６を結果母枝として利用する。
【００４１】
ここで、ブドウ樹２は、図示しない支持部材に固定されて支持される。支持部材は、例えば、鋼管若しくは合成樹脂管等から構成され、地面に対して立設される略逆Ｕ字状の支柱部と、支柱部に固定されてブドウ樹２の植え付け列方向に略水平に配設される水平部と、を有する。結果母枝７は、前記支持部材の水平部に支持される。
【００４２】
結果母枝７から発生する新梢は、互いに略平行になるように誘引されて結果枝８となる。図２（Ｂ）に示す如く、結果枝８は、正面視で、即ち列方向に見て、略Ｖ字状になるよう斜め上方に誘引される。なお、結果枝８は、前記支持部材に張設される支線等に支持される。
【００４３】
上記のように、ブドウ樹２が整枝されることにより、図２（Ａ）及び（Ｂ）に示すように、ブドウ果房５は、結果母枝７から略等距離となる位置の結果枝８に結実するので、略水平且つ略直線状に配列される。
【００４４】
そして、ブドウ果房５の側方であって、ブドウ樹２の植え付け列の幅方向の外側には、結果母枝７に対して略平行に配設されて略直線状に延在する光源ユニット１０が設けられる。光源ユニット１０は、光源ユニット１０の延在方向に沿って所定の間隔で配列される複数のＬＥＤ光源１２を有し、ＬＥＤ光源１２は、ブドウ果房５に向かって光を照射するよう光源ユニット１０のブドウ樹２側の面に配列される。換言すれば、ＬＥＤ光源１２の光軸は、ブドウ果房５側に向けられる。
【００４５】
上記のように、結果母枝７を略水平に整枝して、結果枝８を互いに略平行に誘引することにより、結果枝８に結実するブドウ果房５の位置を略直線状に揃えることができる。そして、ＬＥＤ光源１２が結果母枝７に対して略平行に配列されることにより、ブドウ果房５の配列とＬＥＤ光源１２の配列とを略平行にすることができる。これにより、ブドウ果房５に対して効率的に光を照射することができる。
【００４６】
このような構成において、制御装置２０（図１参照）は、ブドウ果房５の果粒が肥大する果粒肥大期に、夜間の所定の時間、ＬＥＤ光源１２を点灯させる。これにより、果粒肥大期の夜間にブドウ果房５の果粒にＬＥＤ光が照射され、ブドウ果粒の着色及び成熟が促進される。
【００４７】
なお、ＬＥＤ光源１２は、ブドウ果房５の側方に配置されるので、ブドウ果房５の横からＬＥＤ光が照射されることになる。これにより、ブドウ果房５の表面上で光が照射される面積が増大し、ＬＥＤ光照射による着色及び成熟促進の効果が高められる。
【００４８】
また、上記のように、ブドウ樹２の主枝６から分岐する複数の結果母枝７が１つまたは互いに平行な複数の略列状に整枝されることにより、結果母枝７に対して略平行に配列されるＬＥＤ光源１２からブドウ果房５に対して効率的に光を照射することができる。
【００４９】
また、複数のブドウ樹２が略列状に植え付けられ、夫々のブドウ樹２の結果母枝７がブドウ樹２の植え付け列方向に沿って略列状に整枝されることにより、複数のブドウ樹２に結実するブドウ果房５が略直線状に配列される。これにより、略直線状に配列されるＬＥＤ光源１２からブドウ果房５に対して効率的に光を照射することができる。
【００５０】
図３（Ａ）は、ブドウ栽培用照明装置１の光源ユニット１０の斜視図であり、図３（Ｂ）は、光源ユニット１０の横断面図、図３（Ｃ）は、光源ユニット１０の端部近傍をＬＥＤ光源１２側から見た斜視図である。
【００５１】
図３（Ａ）に示すように、光源ユニット１０は、略水平に延在する長尺物状の光源支持具１３と、図３（Ｃ）に示すように、光源支持具１３に設けられて光源支持具１３の長手方向に沿って延在するＬＥＤモジュール１１と、を有する。
【００５２】
ＬＥＤモジュール１１は、略帯状の形態を成し、その延在方向に沿って所定の間隔で配列されるＬＥＤ素子であるＬＥＤ光源１２を有する。ＬＥＤ光源１２及びそれにつながる配線基板等は、透明の合成樹脂によって覆われて一体的にモールド成形されている。ＬＥＤモジュール１１が光源支持具１３に取り付けられことにより、ＬＥＤ光源１２は、光源支持具１３の延在方向に沿って所定の間隔で略直線状に配列されることになる。
【００５３】
なお、ＬＥＤモジュール１１は、１つの光源支持具１３に対して複数列、互いに略平行になるよう配設されても良い。複数列のＬＥＤモジュール１１が設けられることにより、ブドウ果房５に照射される光を強めることができ、且つブドウ果房５に対して均一的にＬＥＤ光を照射することができる。
【００５４】
ここで、ＬＥＤ光源１２は、例えば、ピーク波長４３５〜８００ｎｍの可視光を照射する光源である。ＬＥＤ光源１２として、例えば、ピーク波長４３５〜４８０ｎｍの青色ＬＥＤや、ピーク波長６１０〜７５０ｎｍの赤色ＬＥＤ若しくは遠赤色ＬＥＤを利用することができる。
【００５５】
また、ＬＥＤ光源１２によって照射されるＬＥＤ光のブドウ果房５近傍における光量子束密度は、１０〜１５０μｍｏｌ・ｍ−２・ｓ−１であり、好ましくは、２０〜１００μｍｏｌ・ｍ−２・ｓ−１、より好ましくは、３０〜９０μｍｏｌ・ｍ−２・ｓ−１である。
【００５６】
光量子束密度が１０μｍｏｌ・ｍ−２・ｓ−１よりも低いと、着色促進効果が安定しない。他方、光量子束密度が１５０μｍｏｌ・ｍ−２・ｓ−１よりも高いと、着色促進効果は得られるものの、消費エネルギーが増大し、設備費も増大するので好ましくない。
【００５７】
また、ＬＥＤ光源１２によって照射されるＬＥＤ光のブドウ果房５近傍における光量子束密度は、ＬＥＤ光源１２が青色ＬＥＤ若しくは赤色ＬＥＤの場合には、８０〜９０μｍｏｌ・ｍ−２・ｓ−１でも良く、ＬＥＤ光源１２が遠赤色ＬＥＤの場合には、１０〜３０μｍｏｌ・ｍ−２・ｓ−１でも良い。
【００５８】
また、ブドウ果房５の近傍において所定の光量子束密度が確保されれば、光源ユニット１０とブドウ果房５との距離については、特に限定されない。しかしながら、光源ユニット１０とブドウ果房５との接触を回避しつつ、ＬＥＤ光源１２の出力を抑えて消費電力及び設備費を抑える観点から、光源ユニット１０とブドウ果房５との距離は、１０〜５０ｃｍ、好ましくは、１０〜３０ｃｍが良い。
【００５９】
図３（Ｂ）に示すように、光源支持具１３は、上下幅方向の両端部近傍が曲折されて横断面略コ字状に形成される板状材であり、例えば、アルミニウム等の金属板をプレス加工することにより形成される。これにより、光源支持具１３は、所定の曲げ剛性を有し且つ軽量に形成される。なお、光源支持具１３の形状は、この例に限定されるものではなく、例えば、略角管状若しくは略円管状等に形成されても良く、横断面形状が略Ｈ字状、略Ｔ字状等に形成されても良い。また、光源支持具１３は、板金プレス加工の他、例えば、押出成形等によって形成されても良い。
【００６０】
また、図３（Ａ）及び（Ｂ）に示すように、光源支持具１３には、光源支持具１３の幅方向でＬＥＤモジュール１１の両側に配列され且つ光源支持具１３の延在方向に略列状に配列される複数の貫通孔１７が形成される。これにより、光源支持具１３の軽量化を図ることができる。
【００６１】
また、図３（Ａ）に示すように、光源支持具１３の長手方向の両端部近傍には、光源支持具１３の延在方向に対して略垂直に起立する支持片１４が形成される。支持片１４は、ブドウ樹２（図２参照）を支持するための図示しない支持部材に光源ユニット１０を固定するための部分である。支持片１４には、後述する締結部品３４（図５（Ｂ）参照）が挿通される貫通孔である固定孔１５が形成される。光源ユニット１０の固定方法の詳細については後述する。
【００６２】
また、図３（Ｃ）に示すように、光源支持具１３の長手方向の両端部近傍には、ＬＥＤ光源１２に電力を供給する配線２４、２５が接続される接続端子１６が設けられる。なお、図３（Ｃ）では、一方の端部近傍のみを示すが、前述のとおり、接続端子１６は、光源支持具１３の両端部近傍に設けられる。
【００６３】
接続端子１６は、配線２４、２５の端子２６が嵌合可能な略角穴状の形態をなし、ＬＥＤモジュール１１のＬＥＤ光源１２につながる一対の電極を有する。配線２４、２５の端子２６を接続端子１６に差し込むことにより、配線２４、２５を容易に接続することができる。
【００６４】
図４は、ブドウ栽培用照明装置１の光源ユニット１０が連結された状態を示す概略図である。
図４に示すように、夫々にＬＥＤ光源１２が配列される複数の光源ユニット１０は、配線２４、２５を介して連結自在である。例えば、図４において右端に配置される光源ユニット１０について説明すれば、光源ユニット１０の一方の端部近傍の接続端子１６には、制御装置２０につながる配線２４が接続される。そして、前記光源ユニット１０の他方の端部近傍の接続端子１６には、他の光源ユニット１０、詳しくは図４において左隣に配置される光源ユニット１０、につながる配線２５が接続される。
【００６５】
また、光源ユニット１０は、接続端子１６に接続される配線２５を介して互いに連結されても良い。例えば、１つの光源ユニット１０は、両端部近傍の接続端子１６が配線２５を介して夫々他の光源ユニット１０に接続されても良い。つまり、複数の光源ユニット１０を略直列状に連結することができる。この時、連結された各光源ユニット１０のＬＥＤ光源１２は、夫々電気的に並列接続されることになる。
【００６６】
このような構成により、所定の長さで略直線状に並ぶＬＥＤ光源１２の配列を容易に形成することができる。よって、略直線状に配列するブドウ果房５に対して、効果的に光を照射することができる。
【００６７】
図５（Ａ）は、ブドウ栽培用照明装置１の固定具３０の斜視図であり、図５（Ｂ）は、光源ユニット１０の設置状態を示す斜視図である。
固定具３０は、ブドウ樹２（図２参照）を支持する支持部材３５に光源ユニット１０を固定するための部材である。図５（Ａ）に示すように、固定具３０は、例えば、金属製等の略帯状体から曲折形成され、略円筒状の嵌合部３１と、嵌合部３１の円周方向の両端部から外側に向かって立ち上げられる一対の固定片３２と、を有する。固定片３２には、図５（Ｂ）に示す締結部品３４が挿通される固定孔３３が形成されている。
【００６８】
図５（Ｂ）を参照して、固定具３０の嵌合部３１には、支持部材３５が挿通される。ここで、支持部材３５は、ブドウ樹２を支持する支持部材またはそれら支持部材に固定される部材であり、例えば、鋼管や合成樹脂管等から構成される。
【００６９】
光源ユニット１０は、光源支持具１３の両端部近傍に立設される支持片１４が固定具３０の一対の固定片３２によって挟まれるように、または一方の固定片３２に沿うように配置される。そして、支持片１４の固定孔１５（図３（Ａ）参照）と、固定具３０の固定孔３３（図５（Ａ）参照）と、を合致させて、その固定孔１５、３３に、例えば、ナットと螺合するボルト等の締結部品３４が挿通される。締結部品３４を締結することによって光源支持具１３の支持片１４と固定具３０の固定片３２が固定される。
【００７０】
このように、光源支持具１３が固定具３０によって、ブドウ樹２を支持する支持部材３５に固定されることにより、光源支持具１３の揺れ等が抑えられ、光源ユニット１０とブドウ果房５とが接触してしまうことが防止される。これにより、光源支持具１３等がブドウ果房５に接触することによるブドウ果房５の損傷等を抑止できる。
【００７１】
また、光源ユニット１０は、ブドウ果房５と接触しないように支持部材３５に対して固定されるので、ＬＥＤ光源１２をブドウ果房５に近づけて設置することが可能となる。これにより、ブドウ果房５の果粒に対して効率的に光を照射することができ、ブドウ果粒に照射される光のブドウ果粒近傍における光量子束密度を高めることができる。
【００７２】
また、光源支持具１３は、支持片１４が固定片３２に対して回動することにより光源支持具１３の延在方向を軸として回動して支持部材３５に対して角度調整自在に固定される。これにより、ＬＥＤ光源１２の光軸を適切な方向に向けることができ、効率的なＬＥＤ光の照射が可能となる。
【実施例】
【００７３】
以下、実施例を挙げて本発明を更に詳細に説明する。なお、本発明は以下に挙げる実施例によって何ら限定されるものではない。
図６ないし図８は、本発明のブドウの栽培方法の実施例及び比較例についての試験結果を示す表であり、図６は試験例１の結果を、図７は試験例２の結果を、図８は試験例３の結果を示す。
【００７４】
［試験例１］
図６に示すように、試験例１では、ＬＥＤ光の照射時期及び光色を変えた５つの処理区で供試ブドウを栽培し、収穫期にそれらブドウ果粒の品質を比較することにより、照射時期及び光色がブドウ果粒の着色等に及ぼす影響についての評価を行った。
試験例１に示す試験は、栃木県農業試験場の果樹栽培ハウスにおいて行われた。供試ブドウ樹は、品種が「安芸クイーン」であり、自根の８年生樹である。
【００７５】
供試ブドウ樹の栽培方法は、図１及び図２を参照して既に説明した根圏制御栽培法である。具体的には、図１を参照して、地面上に吸水防止シート３６としてのビニールシートを敷設し、その上に不透根シート３７を敷設し、不透根シート３７の上に、盛土３８を形成して、苗を植え付けている。盛土３８は、赤玉土とバーク肥料を容積比２：１で混合した培土を、１樹当たり６０Ｌ使用して、高さ約２０ｃｍに形成されている。
【００７６】
供試したブドウ樹２の栽培距離は、株間１ｍ、列間２ｍであり、栽培密度は、１０ａ当たり５００本である。ブドウ樹２の仕立ては、図２に示すように、１本主枝の垣根仕立て、長梢剪定であり、結果枝８を列方向に見て略Ｖ字状に斜め上方に誘引している。１樹当たりのブドウ果房５の着房数は１０房とし、植え付け列の幅方向の両側に５房ずつ配置した。そして、片側のブドウ果房５に対して、植え付け列の幅方向の外側からＬＥＤ光源１２による光を照射した。
【００７７】
ブドウ樹５への灌水は、点滴方式とし、１日２０回に分けて、朝５時から３０分間隔で行った。１樹当たりの１日の灌水量は、加温開始から水あげまでは８Ｌ、水あげから展葉期までは１Ｌ、展葉期から開花終までは２Ｌ、開花終から着色始までは１０Ｌ、着色始から収穫期までは８Ｌとした。なお、着色期以降、曇雨天日には、１日当たりの灌水量を１Ｌに制限した。
【００７８】
肥料については、１樹当たり、ようりん（溶成リン肥）１５０ｇ、苦土炭酸カルシウム４８ｇ、塩化カリウム６７ｇ、微量要素複合肥料（ＦＴＥ（登録商標））１５ｇを休眠期に土壌混和した。窒素としては、硝酸アンモニウムを毎日の灌水１回に液肥として混入し、その混入量は、１日１樹当たり催芽から開花終までは０．１３ｇ、開花終から着色始までは０．２７ｇ、着色始から収穫期までは０．１３ｇとした。
【００７９】
図６を参照して、試験例１では、照射時期及び光色を変えてその影響を評価した。具体的には、処理区１、２では果粒肥大期に、処理区３、４では着色期に、夫々ＬＥＤ光を照射した。また、処理区１、３では、ピーク波長約６３３ｎｍの赤色ＬＥＤ光を、処理区２、４では、ピーク波長約４７０ｎｍの青色ＬＥＤ光を、夫々照射した。また、処理区５は、比較例としてＬＥＤ光を照射せずに栽培を行った。
【００８０】
ＬＥＤ光の照射時間、照射位置及び強さは、処理区１〜４共通である。具体的には、ＬＥＤ光の照射時間は、夜間、詳しくは午前２時３０分から午前５時３０分までの３時間である。照射位置は、ブドウ果房５の側方であり、ブドウ果房５とＬＥＤ光源１２との距離は、１０〜１５ｃｍである。ブドウ果房５の果粒近傍における光量子束密度は、８０〜９０μｍｏｌ・ｍ−２・ｓ−１である。
【００８１】
図６に示す試験結果より、果粒肥大期にＬＥＤ光を照射した処理区１、２では、無照射の処理区５と比べて、果皮色の指数ａ＊が高くなっている。なお、果皮色は、KONIKA MINOLTA社製の色彩色差計CR-200で計測しており、国際照明委員会（ＣＩＥ）のＬａｂ表色系の明度Ｌ＊及びクロマネティクス指数ａ＊、ｂ＊で表している。前述の指数ａ＊は、赤方向の色相及び彩度を示している。
【００８２】
他方、着色期にＬＥＤ光を照射した処理区３、４では、無照射の処理区５と比べて、果皮色の指数ａ＊が低くなった。以上より、果粒肥大期にブドウ果房５の果粒にＬＥＤ光を照射することにより、ブドウ果粒の着色が向上することが分かる。
【００８３】
また、果粒肥大期にＬＥＤ光を照射した処理区１、２では、無照射の処理区５と比べて、ブドウ果粒の糖度が高くなっている。特に、赤色ＬＥＤ光を照射した処理区１では、糖度が最も高い。よって、果粒肥大期にブドウ果房５にＬＥＤ光を照射することにより、ブドウ果粒の糖度が高められることが期待され、特に、糖度の向上には、赤色ＬＥＤ光が好適であることが示唆された。
【００８４】
［試験例２］
図７に示すように、試験例２では、ＬＥＤ光の照射時間及び照射位置を変えた７つの処理区で供試ブドウを栽培し、それらブドウ果粒の品質を比較することにより、照射時間及び照射位置がブドウ果粒の着色等に及ぼす影響についての評価を行った。
【００８５】
試験例２では、試験例１と同様の試験場所で行われ、９年生樹の「安芸クイーン」を供試ブドウ樹としている。供試ブドウ樹の栽培方法及び仕立ては、前述の試験例１と同等である。
【００８６】
供試ブドウ樹への灌水管理も試験例１と略同等であるが、１樹当たりの１日の灌水量について、開花終から着色始までを８Ｌ、着色始から収穫期までを６Ｌとした点が試験例１と異なる。
【００８７】
また、施肥管理については、１樹当たり、ようりん７５ｇ、苦土炭酸カルシウム４８ｇ、塩化カリウム６７ｇを休眠期に土壌混和し、硝酸アンモニウムを試験例１と同等の条件で施用した。
【００８８】
ＬＥＤ光の照射時間について、処理区６〜９では、早朝、詳しくは午前２時００分から午前５時００分までの３時間とし、処理区１０、１１では、夕方、午後７時００分から午後１０時００分までの３時間とした。また、処理区１２は、比較例として、ＬＥＤ光を無照射としている。なお、ＬＥＤ光の照射時期は、何れの処理区も果粒肥大期である。
【００８９】
照射されるＬＥＤ光は、試験例１と同様に、ピーク波長約６３３ｎｍの赤色ＬＥＤ光である。照射位置は、処理区６、７、１０、１１については、試験例１と同様に、ブドウ果房５（図２参照）の側面である。
【００９０】
処理区８、９については、比較例として、ブドウ樹２（図２参照）の葉にＬＥＤ光を照射した。詳しくは、処理区８では、結果枝８（図２参照）の下から第７番目の葉、処理区９では、結果枝８の下から第１４番目の葉にＬＥＤ光を照射した。ブドウ果房５若しくは葉とＬＥＤ光源１２との距離は、試験例１と同様に、１０〜１５ｃｍであり、ブドウ果房５若しくは葉近傍における光量子束密度は、処理区６、１０では、１００μｍｏｌ・ｍ−２・ｓ−１とし、処理区７〜９、１１では、１０μｍｏｌ・ｍ−２・ｓ−１とした。
【００９１】
図７に示す試験結果より、ブドウ果房５にＬＥＤ光を照射した処理区６、７、１０、１１では、無照射の処理区７と比べて、果皮色の指数ａ＊が高くなっており、ＬＥＤ光の照射による着色の向上が認められる。詳しくは、処理区７、１１の結果より、光量子束密度１０μｍｏｌ・ｍ−２・ｓ−１でも着色改善の効果があり、処理区６、１０の結果より、光量子束密度１００μｍｏｌ・ｍ−２・ｓ−１の方が着色向上の効果が高いことが分かる。
【００９２】
また、早朝にＬＥＤ光を照射した処理区７と、夕方にＬＥＤ光を照射した処理区１１を比較すると、処理区１１の方が処理区７よりも着色が良く、この結果より、ＬＥＤ光の照射時間は、夕方の方が好ましいことが示唆される。
【００９３】
また、光量子束密度１００μｍｏｌ・ｍ−２・ｓ−１でＬＥＤ光を照射した処理区６、１０では、ブドウ果粒の一粒重も増大しており、果粒肥大効果も認められる。特に、夕方にＬＥＤ光を照射した処理区１０では、果粒肥大効果が大きい。
【００９４】
ブドウ樹２の葉にＬＥＤ光を照射した処理区８、９の結果を見ると、果皮色の指数ａ＊が僅かに高くなる傾向はあるものの、その値は、ブドウ果房５にＬＥＤを照射した処理区７と比べると低い。よって、ブドウ樹２の葉にＬＥＤ光を照射するよりも、ブドウ果房５にＬＥＤ光を照射する方が着色改善の効果が高い。
【００９５】
［試験例３］
試験例３では、遠赤色ＬＥＤ光を照射して、遠赤色ＬＥＤ光の照射がブドウ果粒の着色等に及ぼす影響についての評価を行った。試験例３で照射した遠赤色ＬＥＤ光は、ピーク波長約７２０ｎｍであり、光量子束密度は、１０μｍｏｌ・ｍ−２・ｓ−１である。その他の試験条件は、試験例２と同様である。
【００９６】
図８に示すように、試験例３では、ＬＥＤ光の照射時間を変えた２つの処理区で供試ブドウを栽培した。即ち、処理区１３では早朝に、処理区１４では夕方に、ＬＥＤ光を照射した。なお、処理区１５は、比較のために、試験例２における無照射の処理区１２と同一のデータを再掲したものである。
【００９７】
図８に示す試験結果より、ブドウ果房５（図２参照）に遠赤色ＬＥＤ光を照射した処理区１３、１４では、無照射の処理区１５と比べて、果皮色の指数ａ＊が高くなっている。よって、遠赤色ＬＥＤ光の照射によってブドウ果粒の着色が向上することが認められる。
処理区１３、１４では、無照射の処理区１５と比べると、ブドウ果粒の一粒重も増加しており、遠赤色ＬＥＤ光の照射による果粒肥大効果も認められる。
【００９８】
また、早朝にＬＥＤ光を照射した処理区１３と、夕方にＬＥＤ光を照射した処理区１４を比較すると、夕方に照射した処理区１４の方が着色向上効果及び果粒肥大効果が大きい。この結果より、遠赤色ＬＥＤ光の照射時間は、夕方の方が好ましいことが示された。
【００９９】
また、遠赤色ＬＥＤ光の照射した試験例３の処理区１３、１４と、赤色ＬＥＤ光を照射した試験例２の処理区７、１１（図７参照）を比べると、遠赤色ＬＥＤ光を照射した処理区１３、１４の方が果皮色の指数ａ＊が高く、一粒重も大きい。この結果より、光量子束密度が低い条件において、赤色ＬＥＤ光よりも、遠赤色ＬＥＤ光の方が、着色向上効果及び果粒肥大効果が高いことが分かる。
【０１００】
以上、本発明の実施形態について説明したが、本発明は、これら実施形態に限定されるものではない。例えば、上記の例では、図２を参照して、光源ユニット１０は、ブドウ果房５に対して、ブドウ樹２の植え付け列の幅方向の外側に配設される構成を挙げたが、光源ユニット１０は、ブドウ果房５に対して植え付け列の幅方向の内側に配設されても良い。即ち、光源ユニット１０は、主枝６側に配設され、植え付け列の幅方向の外側に並ぶブドウ果房５に向かって光を照射するようＬＥＤ光源１２が植え付け列の幅方向の外側に向けられても良い。
【０１０１】
また、上記のように、光源ユニット１０が主枝６側に配設される場合において、１つの光源支持具１３の水平幅方向の両面にＬＥＤ光源１２が配列される構成を採用しても良い。つまり、１つの光源ユニット１０から水平幅方向の両側に向かって光を照射し、これにより、植え付け列の幅方向の両側に並ぶブドウ果房５にＬＥＤ光を当てても良い。このような構成により、光源ユニット１０の設置数を削減しつつ、ブドウ果房５に対して効率的に光を照射して、ブドウ果粒の着色促進を図ることができる。
【０１０２】
また、以上の説明では、ブドウ樹２を垣根仕立てとした根圏制御栽培法の例を挙げたが、ブドウ樹２の仕立てや基本的な栽培方法はこれに限定されない。例えば、ブドウ樹は、ブドウ棚に仕立てられても良いし、地植え栽培法によって栽培されても良い。ブドウ樹がブドウ棚に仕立てられる場合も、ブドウ樹の結果母枝を水平に整枝し、結果母枝から発生する新梢を互いに平行になるように誘引して結果枝とすることにより、ブドウ果房が略直線状に配列される。そして、結果母枝に対して略平行に配設される長尺物状の光源ユニット１０からブドウ果房に向かって効率的にＬＥＤ光を照射することができる。
その他、本発明は、その要旨を逸脱しない範囲で、種々の変更実施が可能である。
【符号の説明】
【０１０３】
１      ブドウ栽培用照明装置
２      ブドウ樹
５      ブドウ果房
６      主枝
７      結果母枝
８      結果枝
１０    光源ユニット
１１    ＬＥＤモジュール
１２    ＬＥＤ光源
１３    光源支持具
１４    支持片
１６    接続端子
２０    制御装置
２１    太陽電池パネル
２２    充放電コントローラ
２３    蓄電池
２４    配線
２５    配線
３０    固定具
３１    嵌合部
３２    固定片
３５    支持部材
３６    吸水防止シート
３７    不透根シート
３８    盛土
【図１】
0006727496.tif 000002
【図２】
0006727496.tif 000003
【図３】
0006727496.tif 000004
【図４】
0006727496.tif 000005
【図５】
0006727496.tif 000006
【図６】
0006727496.tif 000007
【図７】
0006727496.tif 000008
【図８】
0006727496.tif 000009